Podtech/llm-jp-corpus-v4-ja_patent huggingface dataset:
(57)【要約】【目的】  音声聴取に係わる骨振動を利用して、電気・電子系を必要としない安価なヘッドホン型の音読記憶増強学習器を提供する。【構成】  外部音遮断効果が８０〜９０％である外部音遮断クッションを有し、電気・電子系を除去された市販のヘッドホンに相当する構成品。【特許請求の範囲】
【請求項１】
受信機能を除去したヘッドホンに相当する形状・構成を持ち、外部雑音の大部分を遮断することを特徴とする、骨振動を利用した音読記憶増強学習器。
【発明の詳細な説明】
【発明の詳細な説明】
【産業上の利用分野】
【０００１】  この発明は、音読記憶を増強する学習器に関する。
【背景技術】
【０００２】  音読記憶を増強する学習器として、ヘッドホンにマイクロホンを連結したものが市販されている。この学習器では、本を見て音読した音声がマイクロホンを介してヘッドホンの受信部へ送られ、鼓膜振動を起こして、音声が脳聴覚部で聴取される。
【発明が解決しようとする課題】
【０００３】  従来の音読記憶増強学習器は、固定電源を用いるときは、アダプタが必要であり、そのため使用場所が限定され、乾電池を使用するときは、乾電池の寿命が関係する。更に、電気回路や電子部品を含むマイクロホンや受信器を使うため、学習器としては高価である。
【課題を解決するための手段】
【０００４】  本発明は上記の欠点を除くためになされたもので、骨振動を利用することによって、従来の学習器におけるマイクロホンと受信器の電気・電子系を不要とした。
【作用】
【０００５】  自分の発した声は、空気振動による鼓膜振動を介して脳内の聴覚部で聴取されると同時に、骨振動を介しても同様に聴取される。この原理に基づくと、従来の学習器における鼓膜振動を起こす構成部品を除去しても、学習器本来の目的は達成されることになる。
【実施例】
【０００６】（実施例１）
市販のヘッドホンから、外部雑音が８０〜９０％遮断できるものを選出した。安価なものは、この遮断能力が低いので、除外した。音読を試みた結果、この選出したヘッドホンは、外部雑音の侵入を十分に抑え、骨振動による音声聴取を効果的にした。骨振動は頭蓋骨の広い部分で起こるため、通常の外部雑音に邪魔される鼓膜振動よりも、音声聴取効率が高かった。
（実施例２）
実施例１で使用したヘッドホンには、ドーナツ型の外部雑音遮断クッションが付いている。このドーナツの中央空所は本発明による構成には無用と考えられる。
この空所に詰め物を入れて、ドーナツ型を円形にした。この改変したヘッドホンを音読に用いた結果、聴取効果は変わらなかった。
【発明の効果】
【０００７】  従来のマイクロホン付きヘッドホン型音読記憶増強学習器は、使用場所が限定される、乾電池が消耗する、電気・電子部品の使用により高価である、という欠点がある。
本発明は、骨振動の利用により、上記の欠点をすべて除去できた。更に、本発明の学習器は、外部雑音を８０〜９０％と高度に遮断するので、黙読記憶増強にも有効である。また、残りの１０〜２０％の外部音通過能により、音読中及び黙読中における有用外部音は聴取できる。
(57)【要約】【課題】  生理的な矛盾をきたさない「メガネなし立体ディスプレイ」を提供するため、ホログラムやステレオグラムの原理によらない実像形成方法を考案する。【解決手段】  複数の「発光体４」とそれぞれつながる「光誘導部１０」からなる「光分散器３」をディスプレイ画面上の各ピクセルにあたる部位に配置し、ディスプレイ画面上から複数の光線を画面前空間の一点に投影して実像を作る。また光線が画面奥の一点から出たように投影して、虚像を作る。この方法で多数の点状の像を作り、全体として立体像を表示する。【選択図】      図１
2006178377.tif 000002
【特許請求の範囲】
【請求項１】
ディスプレイ画面上の各ピクセルの部位に、発光体とそれにつながる光誘導部を複数組み合わせた「光分散器」を配置した立体ディスプレイ装置。
【発明の詳細な説明】
【技術分野】
【０００１】  本発明は、特殊なメガネを使わない立体ディスプレイに関する。
【背景技術】
【０００２】  特殊なメガネを使わない立体ディスプレイの原理には、大きく分けてホログラムとステレオグラムの２つがある。ホログラムはアナログ的情報処理によるもので、動画の立体ディスプレイには難があり、将来の家庭用立体テレビの原理としては期待されていない。後者にはパララックスバリア方式のものとレンティキユラレンズ方式のものがあり、各種の立体ディスプレイに応用されている。しかし、観察者の目のレンズの焦点が常時画面上に位置し、両目の輻輳調節が立体結像部に位置するという、非生理的な調節が避けられない。このため強い疲労感が起きやすい欠点があり、やはり将来の家庭用立体テレビの原理としては不完全と言わざるをえない。
【発明の開示】
【発明が解決しようとする課題】
【０００３】  生理的な矛盾をきたさない「メガネなし立体ディスプレイ」を提供するため、ホログラムやステレオグラムの原理によらない実像形成方法を考案する。
【課題を解決するための手段】
【０００４】  ディスプレイ画面上から、複数の光線を画面前空間の一点に投影し、ここに点状の実像を作る。また光線が画面奥の一点から出たように投影して、点状の虚像を作る。この方法で多数の点状の像を作り、全体として立体像を表示する。【０００５】  具体的には、次を行う。
１．複数の「発光体４」とそれぞれにつながる「光誘導部１０」からなる「光分散器３」の先端を「ディスプレイ画面６」上の各ピクセルにあたる部位に配置する。
２．「光誘導部１０の先端から、各「発光体４」からの光を「線状の光線７」として、発光体ごとに定めた方向に投影する。すなわち、被写体画像の「画素１」に対応する「表示点８」に向かって、複数の光線を投影する。
３．この操作を被写体画像の全画素について行い、立体像を表示する。
【発明の効果】
【０００６】  「光分散器３」を充分小さくし、一つの表示点を示す複数の光線が「観察者の目９」に入るようにすれば、その目のレンズの焦点は実像と一致する。これにより疲れない立体ディスプレイができる。目の位置が変わっても立体結像の位置は変わらない。また観察者が複数であっても、同じ立体像を見ることができる。
【発明を実施するための最良の形態】
【０００７】  複数のカメラで被写体を撮影し、その映像をコンピュータで解析して、どの発光体を発光させるかを決定する。図１に示すように、映像の「一つの画素１」について複数の「発光体４」を発光させ、「光分散器３」の先端５から投影して、一つの点状の像を作る。
図２に示すように、「光分散器３」は「発光体４」と「光誘導部１０」からなる。発光体にはプラズマディスプレイ素子や液晶などを用いる。光誘導部にはグラスファイバーなどを用いる。この「先端部５」を屈曲させる（図２−ａ）、あるいは先端に「レンズ１１」を用いる（図２−ｂ）などの方法で、「線状の光線７」の方向を定める。
この装置により、大型平面ディスプレイなどの立体視化のほか、光分散器を小型化すれば、家庭用立体テレビの実現にも寄与しうると期待される。
【図面の簡単な説明】
【０００８】
【図１】本発明における「被写体の画素と立体像との関係」を示す概略図である。
【図２】本発明の「光分散器」の構造を示す図である。
【符号の説明】
【０００９】    １  被写体画像の一つの画素
２  画素と発光体の対応関係
３  光分散器
４  発光体
５  光分散器の先端
６  ディスプレイ画面
７  線状の光線
８  被写体の画素を表示しようとする空間上の一点
９  観察者の目
１０  光誘導部
１１  レンズ
【図１】
2006178377.tif 000003
【図２】
2006178377.tif 000004
(57)【要約】【課題】子の成長過程、冠婚葬祭などの人生儀礼に関する資料その他企業、商店などの重要事項に関する資料等、保存対象資料が災害などによって滅失し、その再生が不可能もしくは極めて困難となる事態を避けるため、保存対象資料が不幸にして滅失してもその再生を行うことが容易であること【解決手段】保存対象資料１の管理場所と異なる場所に保存行為受託者の管理するサーバー３を設け、保存対象資料を走査器２を用いてデータ化して該データを前記サーバー３に格納して保存する。また、気候を異にし、地殻変動の蓋然性の低い地域を選定し、該地域内に前記サーバー３の外に単数又は複数の保存行為受託者の管理するバックアップサーバーを設け、これに前記データを格納して保存する。保存対象資料の管理場所と前記データの管理場所が異なるので、いずれかが災害にあっても、再生は容易にできる。【選択図】図１
2006178711.tif 000002
【特許請求の範囲】
【請求項１】
保存行為受託者は、顧客から保存対象資料を預かり、該保存対象資料を走査器を用いてデータ化し、又は顧客の提供するメディアデータをコピーして、画像補正後保存行為受託者の管理するサーバーに格納するとともに、預かった保存対象資料を顧客に返戻することを特徴とする保存資料管理システム
【請求項２】
保存行為受託者は、顧客から保存対象資料を預かり、該保存対象資料を走査器を用いてデータ化し、又は顧客の提供するメディアデータをコピーして、画像補正後保存行為受託者の管理するサーバーに格納するとともに、気候が異なり、もしくは地殻変動の蓋然性の低い、単数又は複数の地域を選定し、該地域内に保存行為受託者の管理するバックアップサーバーに前記データを格納して、預かった保存対象資料を顧客に返戻することを特徴とする保存資料管理システム
【発明の詳細な説明】
【技術分野】
【０００１】
本発明は、顧客が保存を希望する各種資料をデータ化し、又は顧客の提供するメディアデータを管理するシステムに関するものである。
【背景技術】
【０００２】
例えば、家庭において、子の成長過程、冠婚葬祭などの人生儀礼、尊属追慕のための資料などとして、写真や絵画を保存することは、ひろく行われている。また、各種免状、賞状など直接利害に影響する資料も保存の必要が大きい。更に、家庭に限らず、規模の小さい各種企業、商店などにおいても、保存の必要な資料は多岐にわたって存在するが、コストなどの関係からこれを適切に管理する人的、物的設備の乏しいことが多い。のみならず、滅失に備え、当該資料を複数作成し、地域を異にする複数の管理場所を設け、各別に保存するという手段がとられていない。
【０００３】
しかしながら、これらの資料は、地震、風水害、火災など思わぬ災害にあうなどして滅失すると、復元、再生させることが不可能な場合が多く、仮に復元が可能な場合にあっても、これに必要な労力や費用が過大になることを避けられない。しかも、前記災害は広い地域にわたることが多く、最近の沖縄地方の風水害、新潟地震の例をみるまでもなく、わが国にあっては自然災害は決して少なくないし、その被害は予想外に深刻かつ広範となることがある。また、たまたま、個々の火災やその延焼などの場合でも結果的には同様の被害を受ける。このような場合復元の可能性を閉ざされのが現状である。このため一旦災害にあうと、家庭における例のみに限ってみても、楽しかった個々の思い出が失われ、人生の一半が喪失したような悲哀をもたらす結果になることが避けられない。しかし、従来はこのような状況に至ることを予め回避する手段は提案されていない。
【非特許文献１】妹尾雅夫著「アウトソーシングの知識」日経文庫  ２０００年
【発明の開示】
【発明が解決しようとする課題】
【０００４】
解決しようとする問題点は、前記のように、個々の家庭、企業、商店などにおいて、かつ単数の場所にのみ資料を保存するに止めている場合に生ずる、資料の喪失を予め回避する手段を提供することにある。
【課題を解決するための手段】
【０００５】
本発明は、顧客から例えば、写真（ネガ）、絵画、文書その他の保存対象資料を一時預かり、走査器であるスキャナーを用いデータ化し、又は顧客の提供するメディアデータをコピーして、画像補正後保存行為受託者の管理するサーバーへ格納した後、預かった保存対象資料を顧客に返還することを特徴とする。
【発明の効果】
【０００６】
本発明の保存資料管理システムは、個々の家庭、企業、商店などが保持している資料が災害などで滅失、毀損しても、データ化された該資料は保存行為受託者の管理するサーバーへ格納されているので、これをプリントアウトすることにより再生できるという利点がある。
【発明を実施するための最良の形態】
【０００７】
保存行為受託者は、その管理するサーバーにつき、個々の家庭、企業、商店などにあっては困難な、災害時にこれを保護し得る堅牢な物的設備を備え、また、臨機に適宜な手段を講じ得る人員を配置するなどし、保存資料の保全を図ることができる。
【実施例１】
【０００８】
図１は、本発明に係る保存資料管理システムの１実施例の構成を示す模式図であって、保存行為受託者が顧客の提出する保存対象資料１を走査器２を用いてデータ化し、又はメディアデータ（例えば、デジカメ画像、携帯電話画像等）をコピーして、画像補正を行った後、保存行為受託者の管理するサーバー３に格納して、保存対象資料１を顧客に返還する。或いは、顧客の提供するメディアデータをコピーし、画像補正を行った後、前記サーバー３に格納する。このようにすれば、個々の家庭、企業、商店などの保存する対象資料と保存行為受託者の管理するサーバー３に格納されたデータとが共存することとなり、いずれか一方が災害のため滅失しても資料喪失を免れることになる。
【実施例２】
【０００９】
図２は、他の実施例の構成を示す模式図であって、保存行為受託者が顧客の提出する保存対象資料１を走査器２を用いてデータ化し又はメディアデータをコピーして、画像補正を行った後、保存行為受託者の管理するサーバー３に格納するとともに、過去の統計上、又は最近の調査資料から、気候等が異なり、もしくは地殻変動の可能性の有無等自然災害の起きる蓋然性の低い、単数又は複数の地域を選定し、該地域内に保存行為受託者の管理するバックアップサーバー４に前記データを格納して、保存対象資料１を顧客に返還する。前記データをバックアップサーバー４に格納する手段としては、インターネットを介して行う場合の外、保存対象資料の性質上、個人情報の漏洩を避けるため、ＣＤなどの記録媒体を直接持参又は信用性の高い搬送機関に委託して送付する方法を選択することを考慮すべきである。
【産業上の利用可能性】
【００１０】
本発明に係る保存資料管理システムは、個人情報を保護するための管理手段としても用いることができる。即ち、顧客の手元にある資料を廃棄し、前記サーバー３及び又はバックアップサーバー４に格納したデータを管理するという手法である。
【図面の簡単な説明】
【００１１】
【図１】保存資料管理システムの構成を示す模式図である。（実施例１）
【図２】保存資料管理システムの構成を示す模式図である。（実施例２）
【符号の説明】
【００１２】
１  保存対象資料
２  走査器
３  サーバー
４  バックアップサーバー
【図１】
2006178711.tif 000003
【図２】
2006178711.tif 000004
(57)【要約】      （修正有）【課題】市販の防犯ブザーは、窓、ドア構造によっては取付けが困難、作動させることが困難な場合がある。センサー等のオン、オフに暗証番号が必要な場合があり面倒【解決手段】ブザーを作動させるスイッチ収納部分１、ブザー収納部分２、電池収納部分３を一体にした防犯ブザーのスイッチ収納部分１において（１）円筒形で直角に一体化した棒状部分６及び５は切り込み部分９の中に設置（２）棒状部分５の先端は右端に開けられた円形の開口部４を左右に通過（３）棒状部分５及び６は切り込み部分９の中で左右に動き、棒状部分６は切り込み部分９の最左端では手前に９０°回転（４）棒状部分６はコイル状スプリング８と接触（５）コイル状スプリング８の左端は切り込み部分９の左端の左方に設けた円筒形の空間に収納（６）コイル状スプリング８は棒状部分６がスイッチ部分７の方向に移動し、接触した時点でスイッチが作動するに必要な圧力を保持している防犯ブザー【選択図】図１
2006178917.tif 000002
【特許請求の範囲】
【請求項１】
ブザーを作動させるためのスイッチ収納部分１、ブザー収納部分２、ブザーを鳴らすための電池収納部分３、を一体にした防犯ブザーのスイッチ収納部分１において
（１）円筒形で直角に一体化している棒状部分６及び５は切り込み部分９の中に設置されている。
（２）棒状部分５の先端は右端に開けられた円形の開口部４を左右に通過できる。
（３）棒状部分５及び６は切り込み部分９の中で左右に動き、棒状部分６は切り込み部分９の最左端では手前に９０°回転する。
（４）棒状部分６はコイル状スプリング８と常に接触している。
（５）コイル状スプリング８の左端は切り込み部分９の左端の左方に設けられた円筒形の空間に常時収納されている。
（６）コイル状スプリング８は、棒状部分６がスイッチ部分７の方向に移動し、接触した時点で、スイッチが作動するに必要な圧力を保持している。
以上の構成からなる防犯ブザー。
【発明の詳細な説明】
【技術分野】
【０００１】この発明は窓、出入り口などに取り付ける防犯用のブザーに関するものである。
【背景技術】
【０００２】現在防犯ブザーは各種市販されているが、レーダーやマグネットを利用した電気的センサー或いは振動を感知するセンサーなどを使用したものが多く、また防犯ブザー本体とそれを感知するマグネットなど２つのものを取り付ける必要がある場合が多い。
しかし、窓やドアの可動部分と固定部分の構造が多岐に渡っており、構造上取り付けられない場合、取り付けが面倒な場合、取り付け後の操作が面倒なものが多い。
【発明の開示】
【発明が解決しようとする課題点】
【０００３】窓、ドアの構造によっては取り付けが困難、或いは作動させることが困難な場合がある点、センサーなどのオン、オフに暗証番号が必要な場合があり面倒な点が多いという課題がある。
【課題を解決する為の手段】
【０００４】本発明は窓やドアがどのような構造であっても一箇所にのみ簡単に取り付けられると言う便利性を備えている点で、仮に窓、扉などに構造上の問題があっても簡単な補助手段を講ずれば容易に作動させることが出来る。その技術的背景には、レーダー、電気的センサー、振動感知センサーなどは一切使用せず、スプリングの力のみで作動できる構造にある。
【発明の効果】
【０００５】本発明は、以上のような構造であるから、これを使用するとき、防犯ブザーの作動待機時、作動不要時の操作が棒状部分６の上げ下げで行え、日常生活での窓、ドアの施錠行為と同程度の行動で済む便利さがある。
【発明を実施するための最良の形態】
【０００６】本発明を実施するに当たり、
（１）スイッチ収納部分１、ブザー収納部分２、電池収納部分３の一体成型は、現在のプラスチック成型技術でかなり小さな物でも可能である。
（２）スイッチ収納部分１のスイッチ部分７が重要な部分であるが、スプリング８の力により棒状部分６がスイッチ部分７に圧力をかけた時、防犯ブザーの電極の＋と−を確実に接触させ通電させることが不可欠である。
そのためには電極接触部分の防塵性、防湿性を確保しなければならない。そこで、現在市場に出回っている水流洗浄式便座に使用されているワンタッチ式スイッチの技術などを応用することにより可能である。
（３）ブザーを鳴らす電池は、センサー方式のように常時通電していないので、電池消費量は少なくて済むため、通常の単３の他、ボタン型電池の利用も可能である。
（４）本発明は、防犯ブザーとして単体で使用できるものであるが、窓枠のサッシなど建材に組み込むことも可能である。
【図面の簡単な説明】
【図１】本発明の斜視図
【図２】本発明の可動部分である円筒形の棒状部分５とレバー部分６がスプリング８に接している状態を示す説明図である。
【図３】本発明の概略回路図
【符号の説明】
１はスイッチ収納部分
２はブザー収納部分
３は電池収納部分
４はスイッチ収納部分の円形の開口部分
５は円筒形の棒状部分
６は円筒形の棒状部分
７は電極の＋又は−を配線したスイッチ部分
８はスプリング
９は棒状部分５、６及びスイッチ部分７を収納する切り込み部分
１０は電池ブザーを鳴らすための電池
１１はブザー
１２はブザーを作動させるためのスイッチ
【図１】
2006178917.tif 000003
【図２】
2006178917.tif 000004
【図３】
2006178917.tif 000005
(57)【要約】      （修正有）【課題】  掲示物を壁に貼る際、のりやガムテープ、セロハンテープ、両面テープ等を用いずに、はがし易く、跡も残らず常に張った状態で掲示することが可能な掲示物の保持具を提供する。【解決手段】  本発明器具をＡとＢに分けた場合、掲示物２をＡで挟み、Ｂを引きながら調整し、置く。以下のくりかえしで解決する。【選択図】図３
2006178485.tif 000002
【特許請求の範囲】
【請求項１】
湿度で弛んだ揚示物を常時、張った状態に保ち、器具の一方を浮かすことに依って早く乾かせる器具。
【発明の詳細な説明】
【発明の詳細な説明】
【技術分野】
【０００１】掲示物をすっきり見易く、湿気にも弛まない様に維持できる器具。
【背景技術】
【０００２】従来は直接粘着物で貼るか、セロハンテープ、両面テープで留める方法、ボタン状や板状の磁石のみで留める方法しか無かった。
【発明を実施するための最良の形態】
【０００３】本発明は、掲示物にフックを付けた洗濯ばさみの様な物で挟み、もう一方の間に伸縮自在な輪ゴムを付けて張り、調整しながら磁石を置くだけで解消する。
【発明の効果】
【０００４】湿度の高低にかかわらず、この器具に依り、掲示物の弛みが無くなり、常に張った状態になりすっきり見える。また掲示物を浮かすことにより早く乾く。
【図面の簡単な説明】
【図１】本発明器具の伸縮安定シャフトを伸ばし、拡大したイメージ図である。
【図２】本発明器具の使用方を印した側面図である。
【図３】本発明器具を▲Ａ▼と▲Ｂ▼に分けた断面図である。
【図４】掲示物を掲示した場合を縮小したものである。
【符号の説明】
2006178485.tif 000003
▲１▼      掲示物のすべり止め。
▲２▼      掲示物。
▲３▼      バネ。
▲４▼      輪ゴム又はコイルスプリングを掛けるフック。
▲５▼      輪ゴム又はコイルスプリング。
▲６▼      伸縮調整を安定させるシャフト及びストッパー。
▲７▼      磁石。
▲８▼      壁に取付けたうすい鉄板。
▲９▼      掲示物と鉄板とのすき間。
▲１０▼    壁
【図１】
2006178485.tif 000004
【図２】
2006178485.tif 000005
【図３】
2006178485.tif 000006
【図４】
2006178485.tif 000007
(57)【要約】      （修正有）【課題】ヘミシンク技術で未来過去を見ることや未来過去を見るための帯電した人工ミニブラックホールの裸の特異点を維持するための負のエネルギーだけを作ること。【解決手段】負のエネルギーだけにするには、カシミール効果か、レーザービームをニオブ酸リチウムの結晶に通し鏡を利用し、光線の正と負の成分は小さく分離し、反射システムをもっと離して負だけにし、帯電した人工ミニブラックホールに打ち込み見るか、集合無意識にヘミシンク技術で体脱した意識で入り、未来過去何もかも見える装置を作る。【選択図】なし【特許請求の範囲】
【請求項１】
（イ）未来も過去も知っている集合無意識にヘミシンク技術を利用して体脱した意識で入り未来や過去を見る。
（ロ）冨松・佐藤解の裸の特異点は何もかも見える領域で未来が過去であり過去が未来である時空をもつ世界なのでこれを見るために帯電した人工ミニブラックホールを作りそこに負のエネルギーを打ち込み見る。なおここでの特異点を情報の集積点とみる。
（ハ）さらに負のエネルギーだけを作るには一つ目はカシミール効果で量子真空を撹乱して作る。二つ目はレーザービームをニオブ酸リチウムの結晶に通し膨張器で高速で回転する一組の鏡を用いて光はそれぞれの鏡の表面を非常に浅い角度で照らす。鏡が回転することにより負のエネルギーの部分が正のエネルギーの部分と少し異なる角度で反射するように仕向けることができる。鏡から遠く離れた場所では光線の正と負の成分は小さく分離するだろうし反射システムをもっと離せば負の部分だけを帯電した人工ミニブラックホールの中に導くようにできる。
以上の如く論理で導かれる未来過去何もかも見える装置。
【発明の詳細な説明】
【技術分野】
【０００１】  本発明は、未来過去何もかも見える装置に関する。
【背景技術】
【０００２】  従来、未来過去何もかも見える装置はなかった。（例えば非特許文献２参照。）。【０００３】
【非特許文献１】  「タイムマシンをつくろう」、ポール・ディビス、草思社、２００３年６月２４日、１２１頁から１３３頁
【非特許文献２】  「宇宙論の新次元」２００１年１１月１９日、日本経済新聞社、１２２頁から１３２頁、佐藤勝彦
【非特許文献３】  「数学セミナー」２００３年１２月号、日本評論社、２２頁から４７頁
【発明の開示】
【発明が解決しようとする課題】
【０００４】  従来、ヘミシンク技術で未来過去を見ることや未来過去を見るための帯電した人工ミニブラックホールの裸の特異点を維持するための負のエネルギーだけを作ることができていなかった。
【課題を解決するための手段】
【０００５】  集合無意識にヘミシンクで体脱した意識で入り未来過去を見るか特異点を冨松・佐藤解で処理し負のエネルギーだけにするにはレーザービームをニオブ酸リチウムの結晶に通し鏡を利用し光線の正と負の成分は小さく分離するだろうし反射システムをもっと離せば負の部分だけでまたはカシミール効果で負だけにする。
【発明の効果】
【０００６】  人間が未来過去何もかも見える装置の製造が可能となる。
【発明を実施するための最良の形態】
【０００７】    以下、本発明の実施例について時系列的論理的に文章で説明する。未来も過去も知っている集合無意識にヘミシンク技術を利用して体脱した意識で入り未来や過去を見る。冨松・佐藤解の裸の特異点は何もかも見える領域で未来が過去であり過去が未来である時空をもつ世界なのでこれを見るために帯電した人工ミニブラックホールを作りそこに負のエネルギーを打ち込み見る。なおここでの特異点を情報の集積点とみる。さらに負のエネルギーだけにするには一つ目にはカシミール効果で量子真空を撹乱して作るか二つ目はレーザービームをニオブ酸リチウムの結晶に通し膨張器で高速で回転する一組の鏡を用いて光はそれぞれの鏡の表面を非常に浅い角度で照らす。鏡が回転することにより負のエネルギーの部分が正のエネルギーの部分と少し異なる角度で反射するよう仕向けることができる。鏡から遠く離れた場所では光線の正と負の成分は小さく分離するだろうし反射システムをもっと離せば負の部分だけを帯電した人工ミニブラックホールの中に導くようにできる。以上の如く論理で導かれる未来過去何もかも見える装置。
【実施例】
【０００８】    上記の如く実施される。
【産業上の利用可能性】
【０００９】    ヘミシンク技術利用と裸の特異点利用で同じ未来過去何もかも見えるという解決しようとする課題を解決することで実現でき産業上の利用可能性は多大だと解される。
(57)【要約】      （修正有）【課題】外気温度より低く感じる人がより正常な温度と感じさせることの出来る化粧料の提供。【解決手段】ラノリンが保湿性が高く、人の表皮で常に正常な水分コンオロールを行い、バリアー機能性を高くする事実及び、生体内に本来存在するアミノ酸のジペプタイド成分が、神経細胞伝達因子を惹起して鎮痛作用に寄与していることが学者間で解明されて来ており、この成分を派生物とした特殊なアミノ酸のジペプタイド誘導体（セダーマ社：カルモセンシン：アセチルジペプチドー１セチル）が同様の作用を行なうことが確認されて来ている事実とを応用して、両者を同時に使用することにより人体に優しい外気温度より低く感じる人がより正常な温度と感じさせることが可能となる。【選択図】なし【特許請求の範囲】
【請求項１】
ラノリンとＮ−アセチル−チロシル−アルギニル−アルキルエステルを含有することを特長とする化粧料。
【請求項２】
製品中の配合量がラノリンの０．１〜５．０％重量とＮ−アセチル−チロシル−アルギニル−アルキルエステル０．００１〜０．０５％を含有することを特長とする化粧料。
【請求項３】
化粧料が、外気温度より低く感じる人がより正常な温度と感じさせることの出来る化粧料。
【発明の詳細な説明】
【技術分野】
【０００１】この発明は、ラノリンとＮ−アセチル−チロシル−アルギニル−アルキルエステルを含有することを特長とする化粧料。
【技術背景】
【０００２】従来の技術によれば、外気温度より低く感じる人がより正常な温度と感じさせることの出来る化粧料，医薬部外品等は、主として、トウガラシ（カプサイシン）エキス、ショウガエキス、サリチル酸メチル、ワニリルアルコール、ノニル酸ワニリルアミド、バニラ精油等が用いられて来たが、毛細血管の改善による一過性の物であり、持続性、刺激性の問題が有った。これらのものを一切使用せず、人体に優しい原料を用いることにより外気温度より低く感じる人がより正常な温度と感じさせることの出来る化粧料を開発することは、大変有意義なことである。
【発明の開示】
【発明が解決しようとする課題】
【０００３】本発明は、安全性の高い原料の中でラノリンが保湿性が高く、人の表皮で常に正常な水分コントロールを行い、バリアー機能性を高くすることは古くから認められている。しかし、ラノリン単体を各種化粧品処方系に配合しても顆粒層まで浸透してドラッグデリバリー効果を持つが、所期の目的物はえられない。【０００４】一方、生体内に本来存在するアミノ酸のジペプタイド成分が、神経細胞伝達因子を惹起して鎮痛作用に寄与していることが学者間で解明されて来ているが、この成分の単体を各種化粧品処方系に配合しても所期の目的物はえられない。
【課題を解決するための手段】
【０００５】化粧料の配合系は多種であるが、乳化物特にＷ／Ｏ処方に着目した。このタイプは水分閉塞性膜形成に欠かせられない。ラノリンを配合した化粧料としてのＷ／Ｏ型処方は古くから検討されているが、安定性に優れたものは少ない。まず、これが出来れば、ラノリン膜で外気からの水分吸引を防ぐことが出来る。その上、ラノリンが表皮細胞の二重層膜を破って顆粒層まで浸透して生体内で水分保持効果とドラッグデリバリー効果を持つことはこの目的物を得るのに重要な因子である。【０００６】生体内に本来存在するアミノ酸のジペプタイド成分が、神経細胞伝達因子を惹起して鎮痛作用に寄与していることが判明しても、表皮細胞の二重層膜を破って表皮神経で作用しななければ効果がない。そのために親油性を持たせた派生物とした特殊なアミノ酸のジペプタイド誘導体（アセチルジペプチドー１セチル）にすることにより浸透性が向上することは知られているので、これ等の個々の単一では目的のもの得られないが、両者を同時に使用することにより人体に優しい外気温度より低く感じる人がより正常な温度と感じさせることの出来る化粧料を開発するに至った。
【発明の実施するための最良の形態】
【０００７】ラノリンには、多種異なった構造物があり、実施例以外の物でＩＮＣＩリストに収載されているものが処方系に使用可能である。
【０００８】アミノ酸のジペプタイド誘導体にはセダーマ社のＮ−アセチル−チロシル−アルギニル−セチルエステルが代表的であるが、各種脂肪族グループ（飽和、不飽和の直鎖、イソ、アンテイソ）の結合したものでも良い。
【０００９】水系は形態から難しく、油のみの組み合わせも十分効果のあるものが可能であるが、伸び、感触、被服への影響等からＷ／Ｏタイプの乳化物が最も好ましい。
【実施例】
【０００１０】処方表−１に示す。ラノリン、カルモセンシン（セダーマ社：Ｎ−アセチル−チロシル−アルギニル−セチルエステル１％含有）を配合し、冷え性のボランティア女性（１９才から６０才）１０人に風呂上りに片一方に塗布、片一方は塗布無で、３日間使用後の評価を報告して貰った。  ５種のサンプルを一週間毎に塗布して貰った。
感応評価結果を表−２に示す。
2006143697.tif 000002
2006143697.tif 000003
【０００８】
2006143697.tif 000004
【産業上の利用可能性】
【０００８】外気温度より低く感じる人がより正常な温度と感じさせることの出来る化粧料（冷え症対策）で満足なものは無い。この発明による化粧料は、冷え症の人に限らず、各種スポーツ用製品、その他作業上での医薬品、化粧品へ幅広く応用できるものである。
(57)【要約】【課題】  特定の線香立てや断熱マット等を要することなく、特段の支持手段のない状態でも立ち消えすることのない蚊取り線香を提供すること。【解決手段】  渦巻き形の線香本体１の裏面に、所要間隔で全長に渡り所要形状の突起２を垂設する。このほか、線香本体１の裏面に突起２を垂設するとともに、表面には該突起２の嵌入する穴３を凹設する。【選択図】          図１
2006143696.tif 000002
【特許請求の範囲】
【請求項１】
渦巻き形の線香本体の裏面に、所要間隔で全長に渡り所要形状の突起を垂設して成る蚊取り線香。
【請求項２】
渦巻き形の線香本体の裏面に、所要間隔で全長に渡り所要形状の突起を垂設するとともに、表面には全長に渡り該突起の嵌入する穴を凹設して成り、重畳積層する際に、下段の各穴に上段の各突起が嵌入してコンパクトに梱包されることを特徴とする蚊取り線香。
【発明の詳細な説明】
【技術分野】
【０００１】  本発明は、特段の燻焼支持体（グラスウール製の断熱マットや線香立て等）を必要とすることのない蚊取り線香に関する。
【背景技術】
【０００２】  従来から提供されている渦巻き形の蚊取り線香は、付属の線香立てに取り付けられたり、容器の蓋底に設けられたグラスウール製の断熱マット上に置かれて燻焼されているものである。
このように、特定の線香立てやグラスウール製の断熱マット等が要求されるのは、燻焼の際に生ずるタール分が燃焼を妨げることによる立ち消えを防ぐことと、防火安全上の断熱のためである。
したがって、従来の蚊取り線香は上記立ち消え防止と断熱にコストを要していたもので、この点の改善に視点を向けた技術としては、特開平６−７０６６８号公報（特許文献１）に提案されているが、該特許文献１の技術は蚊取り線香の燻蒸容器および燻焼支持体に関するもので、蚊取り線香そのものの改善は提案されていないのである。
【特許文献１】  特開平６−７０６６８号公報
【発明の開示】
【発明が解決しようとする課題】
【０００３】  本発明は上記事情に鑑みて、特定の線香立てや断熱マット等を必要とすることなく、特段の支持手段のない状態でも立ち消えすることのない蚊取り線香を提供するものである。
【課題を解決するための手段】
【０００４】  上記課題を解決する本発明の請求項１に記載した蚊取り線香は、渦巻き形の線香本体の裏面に、所要間隔で全長に渡り所要形状の突起を垂設して成る。
また、本発明の請求項２に記載した蚊取り線香は、渦巻き形の線香本体の裏面に、所要間隔で全長に渡り所要形状の突起を垂設するとともに、表面には全長に渡り該突起の嵌入する穴を凹設して成る。
【発明の効果】
【０００５】  本発明の蚊取り線香は、燻焼時に火口が突起の高さ分だけ載置面から離れているため、タールの付着による立ち消えが起こらず、しかも、線香立てやグラスウール製の断熱マットを必要とすることなく、各家庭での自前の適宜な皿を支持体としても利用できることから、燻焼の広範な自由度に伴う、その消費拡大に貢献することと、グラスウール製の断熱マットなどは所要個所で抜き穴のあるものでも断熱効果を低下することがないから、該マット自体のコスト低減にも資する効果がある。
【発明を実施するための最良の形態】
【０００６】  線香本体の裏面に垂設する突起の形状は、円錐や円錐台のほか、角錐や角錐台でもよく、また、突起の配設ピッチは同一のものから、渦巻きの外方を広く徐々に中心に向けて狭くするなどで提供され、表面に凹設する穴のピッチは、前記突起の垂設間隔と同一であるが、穴の位置は、省資源的な観点から該突起の垂設位置と同一のものから、位相を所要にずらしたものまで提供される。また、付帯事項ではあるが、グラスウール製の断熱マットの抜き穴は、放射状に所要個所で配設される長円形のものや、円周方向に沿う所要個所で配設される長円形のもの、或はランダムにあけられる所要形状（丸穴や角穴など）のもので提供され、放射状の長円形のものでは、外周側の端縁をマットの外周に切り開いてＵ状に形成してもよい。
【実施例】
【０００７】  本発明を実施例により説明すると、図１に示すように、渦巻き形の線香本体１の裏面に、所要間隔で全長に渡り所要形状の突起２を垂設して成る。この突起２は図２に示す円錐台のものから図４に示す円錐のものなど種々であり、その基部は線香本体１の幅に収まる２〜３ｍｍ程度で、その高さは１ｍｍ程度である。【０００８】  このようにして成る蚊取り線香Ａは、収納容器の蓋体の裏面や適宜な皿の載置面に載置されて燻焼されるが、このとき、火口は突起に支えられる高さ分だけ載置面から離れているため、断熱的に燻焼されて立ち消えすることなく、しかも、突起２の支え部分の燃焼はごく僅かであるからその部分の伝導熱は危険なものではなく、したがって、断熱材は不要となるのである。【０００９】  次に、図３にその一部を示した蚊取り線香Ｂについて説明すると、このものは線香本体１の裏面に、所要間隔で全長にわたり円錐台の突起２を垂設するとともに、表面には全長に渡り該突起２の嵌入する穴３を凹設して成り、包装される場合には、下段の線香本体１の各穴３に上段の線香本体１の各突起２が嵌入されてコンパクトに収められるのである。
なお、突起２と穴３に関しては、線香本体１の省資源的な観点から捕えれば、穴３を凹設した分だけ裏面に突起２を垂下することとなる。
上記本実施例では突起２や該突起２が嵌入する穴３のピッチを同一のものとしたが、このものに限定することはなく、燃焼する部分と支える部分の重量バランスを考慮して渦巻きの大径外方におけるピッチを広くし、中心に向けて徐々にピッチを狭くしたものでも提供できるのである。
このほか、容器の蓋体の裏面に敷かれる断熱マット４は、本発明の蚊取り線香Ａ、Ｂの使用に供されるものでは、仮想線で示される突起２にバランスよく支えられて燻焼する火口が直接断熱マット４に触れないから、図５に示すように、中心から放射状に長円形の抜き穴５のあるものや、仮想線で示すように、該長円形の幅でＵ状に切除したＵ溝６を有するものなどの断熱材を省資源的に使用したもので提供され得る。
【産業上の利用可能性】
【００１０】  本発明の蚊取り線香は、格別な線香立てなどを要することなく、ベタ置きで燻焼できるから、殺虫剤製造業界に省資源技術の刺激を与えるとともに、使用者側にとっては使用自由度が広くなることにより、その需要拡大を伴う点で有用である。
【図面の簡単な説明】
【００１１】
【図１】  本発明に係わる蚊取り線香Ａの平面図である。
【図２】  蚊取り線香Ａの線香本体１の一部で示す突起２の説明図である。
【図３】  本発明に係わる蚊取り線香Ｂの線香本体１の一部縦断面図である。
【図４】  蚊取り線香Ａの線香本体１の一部で示す突起２の他の説明図である。
【図５】  省資源的に造られた断熱マットの平面図である。
【符号の説明】
【００１２】１  線香本体
２  突起
３  穴
４  断熱マット
５  抜き穴
６  Ｕ溝
Ａ、Ｂ  蚊取り線香
【図１】
2006143696.tif 000003
【図２】
2006143696.tif 000004
【図３】
2006143696.tif 000005
【図４】
2006143696.tif 000006
【図５】
2006143696.tif 000007
(57)【要約】      （修正有）【課題】船艦と各船艇と各潜水艦が、前面と後方に各網が付き不純物を前後に取り除き、進行中人間の巻き込み防止し、デザインの美形のために開発する。【解決手段】船艦下部の中を海水がとうり、スクリューの回転で海水を噴出する物である、そのスクリューの回転の速さで速度が増すと当時に逆噴射して速度を低下させて逆航も出来る船艦である、また潜水艦も同じくその働きをする物である、また前面と後方に各網が付き不純物を前後に取り除き、巡航する全ての船であり船艦と船艇と全ての潜水鑑であると、同時に各船艦と各船艇と各潜水艦が進行中人間の巻き込み防止するためと、デザインの美形のために開発された物である。【選択図】なし【特許請求の範囲】
【請求項１】
全ての内蔵型スクリュー船艦と全てのスクリュー内蔵型船艇と全てのスクリュー内蔵型潜水艦を特許請求する物である。
【発明の詳細な説明】
【技術分野】
【０００１】本発明は、スクリューを船体に内臓した船である、潜水艦も同じく内臓した物である。
「背景技術」【０００２】本発明は、船艦下部の中を海水がとうり、スクリューの回転で海水を噴出する物である、そのスクリューの回転の速さで速度が増すと同時に逆噴射して速度を低下させて逆航も出来る船艦でありる、また潜水艦も同じくその働きをする物である、また前面と後方に各網が付き不純物を前後に取り除き巡航する全ての船であり船艦と船艇と全ての潜水艦である。
「発明の開示」
「発明が解決しようとする課題」
本発明は、各船艦と各船艇と各潜水艦が進行中人間の巻き込み防止するためとデサインの美形のために開発された物である。
(57)【要約】【課題】  従来の鉄道電車脱線防止は、車輪のフランヂをはじめとし、補助レールを設ける事や車体の低重心化等物理的対策が中心であった。強い地震や車体共振等による強い震動やカーブ走行時の過度な速度による許容値を超えた車輪のレールからの浮き上がり防止や抑制には限界があるという問題があった。【解決手段】  鉄道電車の車輪のレールからの許容値を超えた前記浮き上がりに対して、浮き上がり感知センサー、車載コンピューターを介して、電磁石を作動させる事によりレールを強力に牽引し、結果的に浮き上がりを解消又は抑制できる。これにより、脱線事故をより防止し、鉄道電車の安全運行に資することが出来る。【選択図】図１
2006143162.tif 000002
【特許請求の範囲】
【請求項１】
鉄道電車の台車下部のレール真上に固定された、車輪のレールからの浮き上がりを感知する、感知センサーと、車載コンピューターの稼働で、許容値を超えた前記浮き上がりに対して、前記台車下部のレール真上に固定された電磁石本体を作動させ、その磁力によりレールを強力に牽引する事により、結果的に前記浮き上がりを解消又は抑制する電磁力式鉄道電車車輪浮き上がり脱線防止装置。
【発明の詳細な説明】
【技術分野】
【０００１】  本発明は鉄道電車の車輪のレールからの浮き上がりを原因とする脱線防止装置に関するもの。
【背景技術】
【０００２】  従来の鉄道電車の車輪のレールからの浮き上がり脱線防止装置技術としては、広く一般に知られているフランヂや車体の低重心化、又は補助レール等の物理的装置又は技術がある。【０００３】  以下、図３及び図４により従来の脱線防止装置又は技術について説明する。図３の６はフランヂである。フランヂは車輪のレールからのはみ出し防止とカーブ走行時に於ける有効な車輪のレールからの浮き上がりによる円滑な運転を可能にしている。【０００４】  従来の脱線防止技術については、図３の４Ａのように補助レールがある。補助レールは横方向への車輪のズレを抑制し、結果的に車輪のレールからの浮き上がりを回避しようとするものである。
又、図４のように電車車体の重心を下げる等の技術がある。
【発明の開示】
【発明が解決しようとする課題】
【０００５】  以上に述べた従来の脱線防止装置や技術では、強い地震や車体共振等による強い震動、或いはカーブ走行時に於ける過度な速度による許容値を超えた車輪のレールからの浮き上がりを防止又は抑制には限界があった。【０００６】  本発明は、このような従来の脱線防止装置や技術とは別に、電磁力的に車輪のレールからの浮き上がりに対処し、鉄道電車の安全運行を実現する事を目的とするものである。
【課題を解決するための手段】
【０００７】  そして本発明は上記目的を達成するために、鉄道電車の台車下部のレール真上に固定した電磁石を作動させ、その磁力の強力な牽引力により、結果的に車輪のレールからの浮き上がりを抑制せしめるものである。又、電磁石作動タイミングについては、電車の台車下部端のレール真上に設けた浮き上がり感知センサーにより、車載コンピューターが電車駆動モーター電源を遮断すると共に、制御するものである。【０００８】  又、車載コンピューターは既設脱線防止システムにも接続され電磁石作動やその作動解除について、ソフト上確立させるものである。【０００９】  上記課題解決手段による作用は次の通りである。すなわち、強い地震や車体共振等による強い震動、或いはカーブ走行時に於ける過度な速度による許容値を超えた車輪のレールからの浮き上がりを強力な電磁力により抑制又は解消するため、鉄道電車車輪のレールからの浮き上がり脱線事故を防止する事ができる。
【発明の効果】
【００１０】  上述したように本発明の電磁力式鉄道電車車輪浮き上がり脱線防止装置は、強い地震時やカーブ走行時に於ける車輪のレールからの浮き上がり脱線事故を防止することが出来、鉄道電車の安全運行に資する効果を発揮するものである。【００１１】  また、本発明は鉄道電車に本装置を装着させるのみで、既設レール等の改良又は改修を要しないため、経済的にも安価に採用できる効果がある。
【発明の実施するための最良の形態】
【００１２】  以下、本発明の実施形態を図１に基づいて説明する。
【００１３】  図１及び図２においては、１はレールを牽引する電磁石で、台車に固定されている。２は車輪のレールからの浮き上がり感知センサーで台車に固定されている。３は車載コンピューターで車体に固定されている。４はレール。５は車輪本体。６はフランヂ。７は台車で緩行装置を介して車体に固定されいてる。８は車体である。
【００１４】  １の電磁石は３の車載コンピューターを介して、２の浮き上がりセンサーに接続されている。尚、３の車載コンピューターは本発明のほか既設脱線防止システムからも接続を受ける事になる。
【００１５】  以下、上記構成の動作を説明する。まず、２の浮き上がり感知センサーにより車輪のレールからの浮き上がりが感知されると、３の車載コンピューターにより、許容値を超えた浮き上がりが計算された時は、電車の駆動モーター電源が遮断されると共に、１の電磁石が作動し、その磁力により強力にレールを牽引し、車輪のレールからの浮き上がりを解消又は抑制する。以上により鉄道電車の車輪のレールからの浮き上がり脱線事故を防止出来る。
【００１６】  又、１の電磁石の作動及び作動解除については、３の車載コンピューターを介し、既設脱線防止システムによっても制御されるものである。従って鉄道電車脱線事故を未然に防止出来るものである。
【図面の簡単な説明】
【００１７】
【図１】  本発明の実施形態を示す鉄道電車の部分側面図
【図２】  同鉄道電車の断面図
【図３】  従来の鉄道電車の脱線防止装置の断面図
【図４】  同鉄道電車の脱線防止技術の側面図
【符号の説明】
【００１８】  １  電磁石
２  浮き上がり感知センサー
３  車載コンピューター
４  レール
４Ａ  補助レール
５  車輪
６  フランヂ
７  台車
８  車体
【図１】
2006143162.tif 000003
【図２】
2006143162.tif 000004
【図３】
2006143162.tif 000005
【図４】
2006143162.tif 000006
(57)【要約】【課題】この発明は、雨で濡れた自転車本体の各所又は、サドルを拭くために設けられた、雑巾、布、スポンジ、サドルカバ−等を収納するための容器に関するものである。【解決手段】自転車前面又は、後部に取付けられたカゴ、又は、バスケツトに、本体容器（１）を取り付けるため，合成樹脂又は、金具で制作した、止めフックでカゴ、又は、バスケツトに固定して、本体容器（１）の開閉フタ（２）を開けて雑巾、布スポンジ等を使用して又収納する。【選択図】図１
2006143168.tif 000002
【特許請求の範囲】
【請求項１】
自転車の前面ハンドル部分と後部座席部分の上に取付けてあるカゴ又はバスケット（８）に取付けられる合成樹脂製又は金物製の雑巾又は、スポンジ又は、サドルカバ−収納器であり、収納器の入れ物本体（１）の上部に開閉可能なフタ（２）を設け、本体（１）の底には、水切用と、乾燥用の穴（５）が、数箇所開けられ、濡れた布又は、スポンジ又は、サドルカバ−が、直ぐ乾くように工夫してある、又、着脱可能にするために、本体（１）の上部に、金具又は、合成樹脂製の止めフックを（３）を取付けて、自転車のカゴ又はバスケット（８）の上部（６）に止められるようにする。合成樹脂製又は金物製の収納器（１）を固定するため、収納器（１）の裏側面に止めがね用の伸縮自在のフック（４）を取付けカゴ又はバスケット（８）に固定し、着脱可能とする。
【発明の詳細な説明】
【発明の詳細な説明】
【産業上の利用分野】
【０００１】本考案は、雨に濡れた、自転車各所の水濡れをふく布又は、スポンジ又は、サドルカバ−を入れる、収納器に関するものである。
【背景技術】
【０００２】従来の収納箱、器具等は、考案されていますが、ほとんど市場に出ていません、それは、取り外しが面倒であり、高値なため、多くの利用者に、使われていないのが現状です。雨の日に自転車に乗るたびにハンカチで拭くのですが、ハンカチがびしょ濡れになりポケットが最悪の状態になります、又ハンカチを忘れたときは手で拭くという悲惨な状態でした、雨の日になんとかならんか、と悩んでいたが、皆同じ気持だとおもう、その結果、多くの人はサドルの下に、雑巾を押し込んだり、商店のビニ−ル袋を使用したりして、雨の日対策をしているのが現状であるが、非常に見栄えが良くない上、出し放しなので埃りが付き汚い、しかしその様な状況の中でも従来の機器が利用されないのは、取り付けが面倒であることと、高価である事がウイ−クポイントで在った。
本考案はそれらのすべてをクリアするため考案されたものである。
【発明が解決しようとする課題】
【０００３】イ．雨の日にハンカチやティシュの持ち合わせがない場合手で拭いていた。
ロ．ハンカチがあってハンカチで拭いても、ハンカチが薄いためびしょびしょになり、ポケットに入れられなくなる、又、ティシュで拭いても後始末に困ってしまう。
ハ．多くの人は、雑巾をサドルの下に押し込んでいるが、非常に汚く、みっともない。
ニ．従来の収納器では、器具等で取り付けるため、着脱が面倒であり、高値となるため、婦人、子供には簡易に利用することは出来なかった。
ホ．自転車のファッション制をふまえ、透明の製品から、カラー色まで、きれいで、安くて、利用価値の在るものとした。
【課題を解決しようとする手段】
【０００４】本発明は、これらの欠点を除くために発案されたものである。
本体容器（１）は合成樹脂又は、金物で作成、ファション制を重視して、透明又は、着色な色彩豊かなものとする。開閉可能なフタ（２）が設けられた本体容器（１）の上部に金具又は、合成樹脂の止めフック（３）を取付け、自転車のカゴ又はバスケットの上部（６）に止められるようにする。
合成樹脂又は、金物の収納器を固定するため、収納器裏側面に伸縮自在の止め金用フック（４）を取付け、カゴ又は、バスケットに固定し、着脱可能とする、本体（１）の底面に、早期乾燥ようの空気流通用の穴（５）を設ける。
【発明を実施するための最良の形態】
【０００５】自転車のハンドルの前後面又は、後部座席には、ほとんどの自転車に、カゴ又は、バスケット（８）が取付けてあり、そのカゴ又は、バスケットの側面の空間に着脱可能な、合成樹脂又は、金物で制作した、収納器を取付けるのである。カゴ又は、バスケット（８）の側面上部に金具又は、合成樹脂製の止めフック（３）を取付けて、自転車のカゴ又はバスケット（８）の上部（６）に止められるようにする。合成樹脂製又は金物製の収納器（１）を固定するため、収納器（１）の裏側面に伸縮自在の止めがね用のフック（４）を取付けカゴ又はバスケット（８）に固定し、着脱可能とする。
側面に取付けた収納器（１）のフタ（２）を開け、中に布、スポンジ、サドルカバ−等をいれてフタを戻し閉めます、自転車本体各所、又は、サドル等が雨又は、雪で濡れた時には、フタ（２）を開けて、雑巾又は、布、スポンジ等を取りだし、サドル又は、自転車を拭き、終了後、雑巾又は、布、スポンジ等を本体容器（１）に収納しフタ（２）を閉めます。
【発明の効果】
【０００６】本発明を使用することによって、衣服を濡らさず、直ぐにサドル又は、自転車の各所を拭くことができ、雑巾、布、スポンジ等もいつでも利用することができる、又、見栄えも良く、ファッション制にもとみ、非常に安値で制作できる。
【図面の簡単な説明】
【図１】本発明の斜視図
【図２】本発明の分解斜視図
【図３】本発明の使用状態を示す斜視図
【符号の説明】
１は本体容器
２は開閉フタ
３上部止めフック
４裏側面止めフック
５底面空気流通用の穴
６バスケット又は、カゴの上部
７バスケット又は、カゴの側面
８バスケット又は、カゴの本体
【図１】
2006143168.tif 000003
【図２】
2006143168.tif 000004
【図３】
2006143168.tif 000005